(57)【要約】【課題】ロックを解除しない限りカバープレートを洋風便器に装着することができないよう構成された昇降式便器上面設備を提供する。【解決手段】ロック部材２０は、ロックピン差込孔４ｈ，３ｈに差し込まれる略円柱形状のロックピン２２と、差込ガイド用突起２４，２４と、ロック用突起２６，２６と、このロックピン２２の該差込方向後端面から洋風便器本体１の側外方へ向う方向に延設された化粧プレート装着阻止片３０とを有している。化粧プレート装着阻止片３０の長さは、ロックピン２２をロックピン差込孔４ｈ，３ｈに対し根元まで差し込んだ状態において、その後端側が、化粧プレート３ｃを洋風便器本体１に装着した状態における該化粧プレート３ｃの内壁面の配置位置よりも側外方へ延出しうる大きさとなっている。【選択図】図４
2005213860.tif 000002
【特許請求の範囲】
【請求項１】
洋風便器の後部上面に設置される便器上面設備であって、
該洋風便器に固定される固定メンバと、
該固定メンバに対し昇降可能に取り付けられた昇降メンバと、
該昇降メンバを固定メンバに対し上昇不能とするロック部材と、
を有する便器上面設備において、
該便器上面設備は、洋風便器の側面の後方に装着されるカバープレートを備えており、
前記ロック部材でロックしたままでは該カバープレートが洋風便器に装着不能であることを特徴とする便器上面設備。
【請求項２】
請求項１において、該ロック部材にカバープレートの装着を阻止する装着阻止片が突設されていることを特徴とする便器上面設備。
【請求項３】
請求項１又は２において、外したロック部材を収納しておくための収納部が前記カバープレートに設けられていることを特徴とする便器上面設備。
【発明の詳細な説明】
【技術分野】
【０００１】
本発明は、洋風便器の後部上面に設置される便座ボックス、タンクカバー等の便器上面設備に係り、特に昇降式の便器上面設備に関する。
【背景技術】
【０００２】
洋風便器の上面に設置された便座は、便座ボックスあるいはタンクカバーなどの部材を介して洋風便器に対し回動可能に取り付けられている。
【０００３】
この便座ボックス等と洋風便器上面との間に尿などの汚れが染み込んで汚れや臭気の原因となり易い。そこで、便座ボックスを洋風便器に対し上下動可能とし、洋風便器の清掃時に便座ボックスを便座と共に上方に移動（浮上）させるようにしたものが提案されている。
【０００４】
例えば、特開２００２−４３８３号公報には、前部を含む上側部分を昇降可能とした便座ボックスが記載されている。第８図は同号公報の便座ボックスを備えた洋風便器の斜視図である。
【０００５】
陶器製の洋風便器本体１の後部上面に便座ボックス２が昇降可能に設置されており、この便座ボックス２に便座２ａ及び便蓋２ｂが起倒方向回動可能に取り付けられている。
【０００６】
同号公報の洋風便器では、便座ボックス２は、前部に配置された昇降可能なフロントベースプレート（図示略）及び該フロントベースプレートの後方に配置され、洋風便器本体１に固定されたリアベースプレート（図示略）と、無底箱状の合成樹脂製のカバー３ｂとによって外殻が形成されている。
【０００７】
洋風便器本体１の左右の側面とそれぞれ面一状に後方に張り出すように化粧プレート（カバープレート）３ｃ，３ｃが設けられている。これらの化粧プレート３ｃ，３ｃはリアベースプレートに取り付けられている。
【０００８】
左右の化粧プレート３ｃ，３ｃで挟まれた洋風便器本体１の後背部領域に、便器のリム部及びゼット孔へ便器洗浄水を分配供給するための制水弁機構（図示略）が設けられている。
【０００９】
このカバー３ｂの両側面にロックレバー３ｄが設けられている。このロックレバー３ｄは、略々コ字形状のものである。第８図（ａ）のようにロックレバー３ｄが押し込まれると、フロントベースプレートとリアベースプレートとが該ロックレバー３ｄにより挟持されてフロントベースプレート及びカバー３ｂが上昇不能となる。
【００１０】
第８図（ｂ）のようにロックレバー３ｄを外方に引き出すと、この挟持が解除され、フロントベースプレート及びカバー３ｂが上昇可能となる。この状態でカバー３ｂを持ち上げると、ガイド機構（第８図では図示略）に案内されつつ、フロントベースプレート及びカバー３ｂが上昇する。
【特許文献１】特開２００２−４３８３号公報
【発明の開示】
【発明が解決しようとする課題】
【００１１】
上記従来の便器上面設備では、ロックレバー３ｄが丸見えとなるためロックレバーが悪戯を受けるおそれがある。また、美観が劣る。そこで、ロックレバーを化粧プレート３ｃによって隠蔽される位置に設けることが考えられるが、そのように構成した場合、ロックレバーをロック解除せずに化粧プレート３ｃを取り付けてしまい、便座ボックス２を上昇させることができないようになるおそれがある。
【００１２】
本発明は、ロックを解除しない限り化粧プレート等のカバープレートを洋風便器に装着することができないよう構成された昇降式便器上面設備を提供することを目的とする。
【課題を解決するための手段】
【００１３】
本発明（請求項１）の便器上面設備は、洋風便器の後部上面に設置される便器上面設備であって、該洋風便器に固定される固定メンバと、該固定メンバに対し昇降可能に取り付けられた昇降メンバと、該昇降メンバを固定メンバに対し上昇不能とするロック部材と、を有する便器上面設備において、該便器上面設備は、洋風便器の側面の後方に装着されるカバープレートを備えており、前記ロック部材でロックしたままでは該カバープレートが洋風便器に装着不能であることを特徴とするものである。
【００１４】
請求項２の便器上面設備は、請求項１において、該ロック部材にカバープレートの装着を阻止する装着阻止片が突設されていることを特徴とするものである。
【００１５】
請求項３の便器上面設備は、請求項１又は２において、外したロック部材を収納しておくための収納部が前記カバープレートに設けられていることを特徴とするものである。
【発明の効果】
【００１６】
かかる本発明の便器上面設備にあっては、ロック部材をロック解除しない限りカバープレートを洋風便器に装着することができないので、洋風便器の設置時に必ずロックが解除されるようになる。このため、昇降メンバは必ず昇降可能になる。
【００１７】
請求項２の便器上面設備にあっては、装着阻止片にカバープレートが当るため、ロック部材を外さない限りカバープレートを装着することができない。
【００１８】
請求項３の便器上面設備にあっては、外したロック部材を収納部に収納しておくことにより、その紛失が防止される。
【発明を実施するための最良の形態】
【００１９】
以下、図面を参照して本発明の実施の形態について説明する。
【００２０】
第１図は本発明の実施の形態に係る便器上面設備の斜視図、第２図は化粧プレートを取り付ける前の状態を示す分解斜視図、第３図はこの便器上面設備の下面側の斜視図、第４図はロック機構の縦断面図、第５図は第１図のＶ−Ｖ線に沿う部分の断面図であり、第５図（ａ）は化粧プレートを取り付ける前の状態を示す断面図、第５図（ｂ）は化粧プレートを取り付けた後の断面図である。第６図（ａ）は便座ボックスが下降した状態における便器上面設備の側面図、第６図（ｂ）は便座ボックスが上昇した状態における便器上面設備の側面図、第７図は浮上ユニットの斜視図である。
【００２１】
上記従来例と同様、陶器製の洋風便器本体１の後部上面に便座ボックス２が昇降可能に設置されており、この便座ボックス２に便座２ａ及び便蓋２ｂが起倒方向回動可能に取り付けられている。便座ボックス２は、前部に配置された昇降可能なフロントベースプレート３ａと、無底箱状の合成樹脂製のカバー３ｂとによって外殻が形成されている（第４図及び第５図）。図示は省略するが、このフロントベースプレート３ａに、人体臀部を温水で洗浄するための温水洗浄ノズル及びモータ駆動式温水切替弁装置が設置されている。また、このフロントベースプレート３ａの底面には、便座ボックス２が浮上したときにその下側領域Ｓを照らすための照明３ｅが設けられている（第６図）。この照明３ｅとしてはＬＥＤが好適であるが、これに限定されない。
【００２２】
また、このフロントベースプレート３ａ上には、便座２ａ及び便蓋２ｂを開閉させる電動開閉ユニット、人体臀部に向けて温風を吹き出してその乾燥を行う温風ファン、便鉢内から臭気を含んだ空気を吸引して脱臭する脱臭ファン及び脱臭カートリッジが設けられている。カバー３ｂには、便器本体１に近づいたり着座した人体を検知するための人体検知センサが設けられている。
【００２３】
便器本体１の最後部上面には、カバー３ｂの後部側が上方から被さるようにリアベースプレート４ａが設けられている。このリアベースプレート４ａには、前記温水洗浄ノズルへ温水を供給するためのヒータ付き温水タンク４ｂ（第６図にのみ図示）、便座ボックス２を押し上げたり、降下させたりする際の動きを緩衝させるための浮上ユニット１０のほか、図示はしないがヒータ及び電動ファンよりなる部屋暖房ファン、電源基板、制御回路基板、便鉢やトラップ部へ水を供給するためのバルブユニット等が設けられている。符号４ｒ（第２図）は、洋風便器本体１の後端部に配置されたリアカバーを示している。
【００２４】
この浮上ユニット１０は、第７図に示す通り、リアベースプレート４ａ上に設置されたフレーム１４と、該フレーム１４に設けられた上下方向に延在する１対のレール（図示略）に沿って上下に平行移動可能となっており、該フレーム１４からアーム状にフロント側へ延出したスライドプレート１１ａと、該スライドプレート１１ａに固着されたロータリダンパ１１と、該ロータリダンパ１１の回転軸に固着されたピニオン１２と、該ピニオン１２が噛合したラック１３とを有する。該スライドプレート１１ａにフロントベースプレート３ａが連結されている。フレーム１４の下端には足片状の固定プレート１４ａが設けられている。この固定プレート１４ａを介してフレーム１４がリアベースプレート４ａに固定されている。前記ラック１３はこのフレーム１４に固設されている。
【００２５】
この実施の形態では、リアベースプレート４ａが固定メンバであり、フロントベースプレート３ａ及びカバー３ｂが昇降メンバである。
【００２６】
第２図〜第５図に示す通り、フロントベースプレート３ａの両側縁（洋風便器本体１に着座した者から見て左右方向の両側縁）近傍の下面から、垂下片（ロック片）３ｓが一対垂設されている。同様に、リアベースプレート４ａの両側縁近傍の下面から、垂下片（ロック片）４ｓが一対垂設されている。以下、このリアベースプレート４ａ側の垂下片４ｓを「第１の垂下片」と称し、フロントベースプレート３ａ側の垂下片３ｓを「第２の垂下片」と称することがある。
【００２７】
リアベースプレート４ａのうち第１の垂下片４ｓより内側（左右方向中央側）には、第２の垂下片３ｓを挿通するための挿通孔４ｐが設けられている。第１の垂下片４ｓ、第２の垂下片３ｓ及び挿通孔４ｐの位置関係は、第４図（ａ）及び第５図の通り、フロントベースプレート３ａがリアベースプレート４ａの上面に重なり合った状態にあるときに、第２の垂下片３ｓが挿通孔４ｐに挿通され、且つ第２の垂下片３ｓの外向き面（洋風便器本体１の側外方を向く面）が第１の垂下片４ｓの内向き面（左右方向中央側を向く面）と重なり合う関係となっている。
【００２８】
これらの垂下片４ｓ，３ｓには、上述の通りフロントベースプレート３ａがリアベースプレート４ａと重なり合った状態にあるときに同軸状且つ軸心線方向が洋風便器本体１の側外方を指向する方向となるロックピン差込孔４ｈ，３ｈが設けられている。
【００２９】
このロックピン差込孔４ｈ，３ｈにロック部材２０のロックピン２２が差し込まれることにより、フロントベースプレート３ａとリアベースプレート４ａとが離反不能にロックされる。
【００３０】
このロック部材２０は、第３図及び第４図に示すように、該ロックピン差込孔４ｈ，３ｈに差し込まれる略円柱形状のロックピン２２と、このロックピン２２の該ロックピン差込孔４ｈ，３ｈへの差込方向先端側の側周面から放射方向に突設された１対の差込ガイド用突起２４，２４と、このロックピン２２の該差込方向途中部分の側周面から放射方向へ突設された１対のロック用突起２６，２６と、このロックピン２２の該差込方向後端側の側周面から放射方向へ突出状に周設されたフランジ２８と、このロックピン２２の該差込方向後端面から該ロックピン２２の軸心線延長方向（ロックピン２２がロックピン差込孔４ｈ，３ｈに差し込まれた状態にあるときに洋風便器本体１の側外方へ向う方向）に延設された化粧プレート装着阻止片３０とを有している。
【００３１】
該差込ガイド用突起２４，２４同士はロックピン２２の軸心線回りに１８０゜位相を異ならせて配置されており、ロック用突起２６，２６同士もこれと同様の配置とされている。なお、これらの差込ガイド用突起２４とロック用突起２６とは、互いに同一位相状となるように（即ち、ロックピン２２のロックピン差込孔４ｈ，３ｈへの差込方向においてロック用突起２６が差込ガイド用突起２４の背後に位置するように）配置されている。
【００３２】
該化粧プレート装着阻止片３０の長さは、第４図（ａ）に示すように、ロックピン２２をロックピン差込孔４ｈ，３ｈに対し根元まで（フランジ２８が垂下片４ｓの外向き面に当接するまで）差し込んだ状態において、その後端側（ロックピン２２の差込方向における後端側）が、後述の化粧プレート３ｃを洋風便器本体１に装着した状態における該化粧プレート３ｃの内壁面（第４図（ａ）においては二点鎖線にて図示。）の配置位置よりも側外方へ延出しうる大きさとなっている。
【００３３】
なお、該化粧プレート装着阻止片３０は、この実施の形態ではロック部材２０の把持部を兼ねるものであり、手指等によって把持し易いように平たく細長い板状となっている。
【００３４】
この実施の形態では、第３図及び第４図（ｂ）に示すように、垂下片４ｓのロックピン差込孔４ｈの内周面に、ロックピン２２を該ロックピン差込孔４ｈに差し込んだときに差込ガイド用突起２４及びロック用突起２６が該ロックピン差込孔４ｈ内を通過することを許容する１対のガイド溝３２，３２が設けられている。
【００３５】
また、該垂下片４ｓの内向き面には、第３図及び第４図に示すように、該ロックピン差込孔４ｈの周縁部を切り欠くようにして、各ロック用突起２６が係合可能な１対の凹段部３４，３４が形成されている。図示の通り、各凹段部３４は、該ロックピン差込孔４ｈの周回方向における一端側が各ロック用突起２６にそれぞれ連通している。
【００３６】
このロック部材２０を装着するに当たっては、フロントベースプレート３ａがリアベースプレート４ａと重なり合った状態において、垂下片４ｈの外向き面側からロックピン差込孔４ｈに対しロックピン２２を差し込む。この際、各差込ガイド用突起２４とこれに引き続く各ロック用突起２６を各ガイド溝３２に入り込ませ、該ロックピン差込孔４ｈを通過させる。
【００３７】
該ロックピン２２を根元まで（フランジ２８が垂下片４ｓの外向き面に当接するまで）該ロックピン差込孔４ｈに差し込むと、ロックピン２２の先端側及び各差込ガイド用突起２４がフロントベースプレート３ａ側の垂下片３ｈのロックピン差込孔３ｈに内嵌する。また、このとき、各ロック用突起２６は、各ガイド溝３２と凹段部３４との連通部分に位置するようになる。次いで、このロック部材２０を該ロックピン２２の軸心回りに９０゜回転させる。このようにすると、各ロック用突起２６がそれぞれ第４図（ａ），（ｂ）の如く凹段部３４に係合し、ロックピン２２がロックピン差込孔４ｈ，３ｈから引き抜き不能となる。これにより、フロントベースプレート３ａとリアベースプレート４ａとがロックピン２２によって離反不能にロックされる。
【００３８】
このロック状態を解除する場合には、ロック部材２０をロックピン２２の軸心回りにロック時と反対方向に９０゜回転させる。このようにすると、各ロック用突起２６が凹段部３４から離脱して各ガイド溝３２内に移動し、ロックピン２２のロックピン差込孔３ｈ，４ｈからの引き抜き方向への移動が許容されるようになる。そこで、化粧プレート装着阻止片３０を引張ってロックピン２２を該ロックピン差込孔３ｈ，４ｈから引き抜く。これにより、該ロックピン２２によるロックが解除され、フロントベースプレート３ａがリアベースプレート４ａから離反しうるようになる。
【００３９】
洋風便器本体１の左右の側面とそれぞれ面一状に取り付けられる化粧プレート３ｃ，３ｃの内壁面には、この実施の形態では、その上部をリアベースプレート４ａに固定する上部固定部材３６と、下部を前記リアカバー４ｒ（第２図）の下部側面に固定する下部固定部材（図示略）とが設けられている。図示はしないが、該下部固定部材は、この実施の形態では下方に延出した爪状片であり、該リアカバー４ｒの下部側面に設けられた化粧プレート保持部４ｋの上面の爪状片係合溝（符号略）に対し上方から係合しうるようになっている。
【００４０】
リアベースプレート４ａの両側縁付近（各垂下片４ｓ付近）の下面には、化粧プレート保持部材３８が設けられている。該化粧プレート保持部材３８は、該リアベースプレート４ａの下面から下方に向って立設された脚片部３８ａと、該脚片部３８ａの下端に設けられた略円柱形状部３８ｂとを有している。この略円柱形状部３８ｂは、第２図〜第５図に示すように、軸心線方向を前後方向（洋風便器本体１に着座した者にとっての前後方向）として配置されており、該脚片部３８ａは、下端がこの略円柱形状部３８ｂの軸心線方向中間付近に連なっている。
【００４１】
化粧プレート３ｃの上部固定部材３６は、図示の通り、該略円柱形状部３８ｂの軸心線方向両端側（脚片部３８ａの両サイド）の外周に弾性的に嵌着可能な１対の略Ｃ字形状部３６ａ，３６ａを有している。
【００４２】
なお、この実施の形態では、該化粧プレート３ｃの内壁面には、第５図（ａ），（ｂ）に示すように、ロック解除により取り外したロック部材２０を収納するためのポケット状の収納部４０が設けられている。
【００４３】
この化粧プレート３ｃを洋風便器本体１に装着するに当っては、まず、ロック部材２０によるフロントベースプレート３ａとリアベースプレート４ａとのロックを解除し、該ロック部材２０を各垂下片３ｓ，４ｓのロックピン差込孔３ｈ，４ｈから引き抜いて外しておく。この外したロック部材２０は、化粧プレート３ｃの内側の収納部４０内に収納しておく。そして、該化粧プレート３ｃの下部固定部材（爪状片）をリアカバー４ｒの化粧プレート保持部４ｋの爪状片係合溝に対し上方から係合させつつ、該化粧プレート３ｃの上部を洋風便器本体１の側面に押し付け、該化粧プレート３ｃの上部固定部材３６とリアベースプレート４ａの化粧プレート保持部材３８とを連結する。この際、該固定部材３６のＣ字形状部３６ａが、化粧プレート保持部材３８の略円柱形状部３８ｂの外周面に沿って弾性的に拡開しつつ該略円柱形状部３８ｂに被さり、該略円柱形状部３８ｂを咥え込むようにして弾性的に保持するようになる。
【００４４】
このように構成された便器上面設備において、便座ボックス２を運搬等する際には、第４図（ａ）に示す通り、フロントベースプレート３ａとリアベースプレート４ａとを重ね合わせた状態にてロック部材２０を装着し、該フロントベースプレート３ａとリアベースプレート４ａとの離反をロックする。
【００４５】
便座ボックス２を洋風便器本体１に据え付ける際には、上述の通りフロントベースプレート３ａとリアベースプレート４ａとがロック部材２０によってロックされた状態（第４図（ａ））において洋風便器１の後部上面に便座ボックス２を載置する。次に、該ロック部材２０によるロックを解除して該ロック部材２０を取り外し、洋風便器１の左右の側面とそれぞれ面一状に後方に張り出すように化粧プレート３ｃ，３ｃを取り付ける。
【００４６】
このようにして便座ボックス２を洋風便器本体１に設置した後は、カバー３ｂを引き上げることにより、フロントベースプレート３ａ及びカバー３ｂ（便座ボックス２）が上昇する。また、便座照明３ｇが点灯し、浮上した便座支持部材２の前部の下側スペース（下側領域）Ｓが照明される（第６図（ｂ））。なお、図示はしないが、浮上ユニット１０には、上昇したフロントベースプレート３ａ（スライドプレート１１ａ）を軽くラッチするラッチ片及びラッチバネが設けられており、カバー３ｈから手を離してもフロントベースプレート３ａが下降することはない。
【００４７】
カバー３ｂを下向きにやや力を込めて押すと、このラッチが解除され、該カバー３ｂ及びフロントベースプレート３ａが下降して、元の状態に復帰する（第６図（ａ））。
【００４８】
この便器上面設備にあっては、ロック部材２０によりフロントベースプレート３ａとリアベースプレート４ａとがロックされた状態にあるときには、該ロック部材２０の化粧プレート装着阻止片３０が化粧プレート３ｃの配置予定位置よりも側外方にまで延出しているので、化粧プレート３ｃを洋風便器本体１に装着することができない。即ち、この便器上面設備においては、ロック部材２０をロック解除しない限り化粧プレート３ｃを洋風便器本体１に装着することができないので、洋風便器本体１を設置するに際し必ずフロントベースプレート３ａとリアベースプレート４ａとのロックが解除されるようになる。このため、フロントベースプレート３ａ（便座ボックス２）が必ず昇降可能となる。
【００４９】
この実施の形態では、ロック解除により外したロック部材２０を化粧プレート３ｃの内側の収納部４０に収納しておくことができるので、ロック部材２０の紛失が防止される。
【００５０】
上記の実施の形態は本発明の一例を示すものであり、本発明は上記の実施の形態に限定されるものではない。
【図面の簡単な説明】
【００５１】
【図１】本発明の実施の形態に係る便器上面設備の斜視図である。
【図２】化粧プレートを取り付ける前の状態を示す分解斜視図である。
【図３】便器上面設備の下面側の斜視図である。
【図４】ロック機構の縦断面図である。
【図５】図１のＶ−Ｖ線に沿う断面図であり、（ａ）図は化粧プレートを取り付ける前の状態を示す断面図、（ｂ）図は化粧プレートを取り付けた後の断面図である。
【図６】（ａ）図は便座ボックスが下降した状態における便器上面設備の側面図、（ｂ）図は便座ボックスが上昇した状態における便器上面設備の側面図である。
【図７】浮上ユニットの斜視図である。
【図８】従来例を示す斜視図である。
【符号の説明】
【００５２】
１  洋風便器本体
２  便座ボックス
３ａ  フロントベースプレート
３ｂ  カバー
３ｃ  化粧プレート
３ｈ  ロックピン差込孔
３ｓ  垂下片
４ａ  リアベースプレート
４ｈ  ロックピン差込孔
４ｐ  挿通孔
４ｓ  垂下片
２０  ロック部材
２２  ロックピン
２４  差込ガイド用突起
２６  ロック用突起
３０  化粧プレート装着阻止片
３２  ガイド溝
３４  凹段部
【図１】
2005213860.tif 000003
【図２】
2005213860.tif 000004
【図３】
2005213860.tif 000005
【図４】
2005213860.tif 000006
【図５】
2005213860.tif 000007
【図６】
2005213860.tif 000008
【図７】
2005213860.tif 000009
【図８】
2005213860.tif 000010